【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
燃焼室内で往復運動するように構成された少なくとも１つのピストンを備える内燃機関であって、前記燃焼室が、
１次排気ポートであって、排気ガスを前記燃焼室から送り出すための実質的な開放構成と排気ガスが実質的に前記１次排気ポートを通過することができない実質的な閉鎖構成とを有する、１次排気ポートと、
前記１次排気ポートが実質的に閉じているときに排気ガスを前記燃焼室から送り出すように構成された２次排気ポートと、
を有する、内燃機関。
【請求項２】
前記２次排気ポートが、前記１次排気ポートの断面プロファイルよりも小さい断面プロファイルを有する、請求項１に記載の内燃機関。
【請求項３】
機関サイクル中、前記２次排気ポートが、前記１次排気ポートの開放時間よりも短い開放時間を有する、請求項１または２に記載の内燃機関。
【請求項４】
機関サイクル中、前記排気ポートが、前記２次排気ポートよりも前に開く、請求項１〜３のいずれか一項に記載の内燃機関。
【請求項５】
前記１次排気ポートおよび前記２次排気ポートが、前記燃焼室の概ね第１の端部で前記燃焼室内に開口している、請求項１〜４のいずれか一項に記載の内燃機関。
【請求項６】
空気燃料混合気を前記燃焼室に送るように構成された移送ポートをさらに備える、請求項１〜５のいずれか一項に記載の内燃機関。
【請求項７】
前記移送ポートが、前記燃焼室の前記第１の端部とは反対側の概ね第２の端部で前記燃焼室内に開口している、請求項５および６に記載の内燃機関。
【請求項８】
前記１次排気ポートが、前記１次排気ポートが閉じている閉位置と前記１次排気ポートが開いている開位置との間で選択的に動くことができる１次排気弁を有し、前記２次排気ポートが、前記２次排気ポートが閉じている閉位置と前記２次排気ポートが開いている開位置との間で選択的に動くことができる２次排気弁を有し、前記１次排気弁および前記２次排気弁が、前記１次排気弁が開いているときに前記２次排気弁が閉じているように、逆もまた同様になるように構成されている、請求項１〜７のいずれか一項に記載の内燃機関。
【請求項９】
前記移送ポートが、空気燃料混合気を流入させるための吸気口に流体接続されている、請求項７または８に記載の内燃機関。
【請求項１０】
前記吸気口と前記移送ポートとの間に絞り弁をさらに備え、前記絞り弁が閉位置と開位置との間で動くことができる、請求項９に記載の内燃機関。
【請求項１１】
前記絞り弁および前記１次排気弁が、前記絞り弁が開いているときに前記排気弁が開いているように、逆もまた同様になるように構成されている、請求項８に従属する場合の請求項１０に記載の内燃機関。
【請求項１２】
前記空気燃料混合気が前記吸気口から前記移送ポートに流れることを可能にするために、前記絞り弁と前記移送ポートとの間に一方向弁をさらに備える、請求項１０または１１に記載の内燃機関。
【請求項１３】
前記少なくとも１つのピストンが、対向ピストン配置された１対のピストンを含み、前記燃焼室が、対向する前記１対のピストンによって共有される、請求項１〜１２のいずれか一項に記載の内燃機関。
【請求項１４】
各吸気口が前記１対のピストンのそれぞれに関連しており、一方の吸気口が空気燃料混合気を前記燃焼室に送るようになされており、他方の吸気口が空気を前記燃焼室に送るようになされており、各吸気口が絞り弁を有する、請求項１３に記載の内燃機関。
【請求項１５】
前記吸気口絞り弁および前記１次排気弁が、前記１次排気弁が閉じているときに前記吸気口絞り弁が閉じているように構成されている、請求項８に従属する場合の請求項１４に記載の内燃機関。
【請求項１６】
対向ピストン配置された１対の前記ピストンをさらに備え、前記燃焼室が、対向する前記１対のピストンによって共有され、前記ピストンが、前記燃焼室内で往復運動するように構成されており、
前記２次排気ポートが、選択的に、排気ガスを前記燃焼室から送り出したり、吸気を前記燃焼室に送り込んだりするように構成された双方向ポートである、請求項１〜１５のいずれか一項に記載の内燃機関。
【請求項１７】
共通の燃焼室内で往復運動するように対向ピストン配置で構成された少なくとも２つの前記ピストンと、
前記燃焼室の第１の端部に概ね隣接し、空気と燃料の混合気を前記燃焼室に供給するように構成された移送ポートと、
前記燃焼室の前記第１の端部とは反対側の第２の端部に概ね隣接し、排気ガスを前記燃焼室から送り出すように構成された前記１次排気ポートと、
前記燃焼室の前記第２の端部に概ね隣接してかつ前記排気ポートに概ね対向して配置された２次移送ポートと、
をさらに備え、
前記２次移送ポートが、空気を前記燃焼室内に導入するように構成されている、請求項１〜１５のいずれか一項に記載の内燃機関。
【手続補正２】
【補正対象書類名】明細書
【補正対象項目名】０１５８
【補正方法】変更
【補正の内容】
【０１５８】
［0169]本発明について１つまたは複数の好ましい実施形態を参照して上述してきたが、添付の特許請求の範囲で定義される本発明の範囲から逸脱することなく、様々な変更または修正がなされてもよいことが理解されよう。本発明は、例えば、以下の事項を含む。
［第１項］
対向ピストン配置された１対のピストンと、対向する前記１対のピストンによって共有される燃焼室とを備える内燃機関であって、前記ピストンが、前記燃焼室内で往復運動するように構成されており、前記燃焼室が、選択的に、排気ガスを前記燃焼室から送り出したり、吸気を前記燃焼室に送り込んだりするように構成された双方向ポートを有する、内燃機関。
［第２項］
前記機関が、選択的に開閉されるように構成された排気ポートをさらに備え、したがって、前記排気ポートが閉じているときに、前記双方向ポートが排気ガスを前記燃焼室から送り出すように構成されており、前記排気ポートが開いているときに、前記排気ポートが排気ガスを前記燃焼室から送り出すように構成されており、前記双方向ポートが吸気を前記燃焼室に送り込むように構成されている、第１項に記載の内燃機関。
［第３項］
前記双方向ポートが、前記排気ポートの断面プロファイルよりも小さい断面プロファイルを有する、第２項に記載の内燃機関。
［第４項］
機関サイクル中、前記双方向ポートが、前記排気ポートの開放時間よりも短い開放時間を有する、第１〜３項のいずれか一項に記載の内燃機関。
［第５項］
機関サイクル中、前記排気ポートが、前記双方向ポートよりも前に開く、第１〜４項のいずれか一項に記載の内燃機関。
［第６項］
前記双方向ポートおよび前記排気ポートが、前記燃焼室の概ね第１の端部で前記燃焼室内に開口している、第１〜５項のいずれか一項に記載の内燃機関。
［第７項］
空気燃料混合気を前記燃焼室に送るように構成された移送ポートをさらに備える、第１〜６項のいずれか一項に記載の内燃機関。
［第８項］
前記移送ポートが、前記燃焼室の前記第１の端部とは反対側の概ね第２の端部で前記燃焼室内に開口している、第６および７項に記載の内燃機関。
［第９項］
前記双方向ポートが、排気ガス出口または空気入口に選択的に流体接続される、第１〜８項のいずれか一項に記載の内燃機関。
［第１０項］
切換弁が、前記空気入口と前記排気ガス出口との間の移送導管内に配置されており、前記切換弁が、前記双方向ポートが前記空気入口に流体接続される閉位置と前記双方向ポートが前記排気ガス出口に流体接続される開位置との間で選択的に動くことができる、第９項に記載の内燃機関。
［第１１項］
前記排気ポートが、前記排気ポートが閉じている閉位置と前記排気ポートが開いている開位置との間で選択的に動くことができる排気弁を有し、前記排気弁および前記切換弁が、前記排気弁が開いているときに前記切換弁が閉じているように、逆もまた同様になるように構成されている、第２および１０項に記載の内燃機関。
［第１２項］
前記空気入口が、空気が前記空気入口から前記双方向ポートに流れることを可能にする一方向弁を有する、第１０または１１項に記載の内燃機関。
［第１３項］
前記移送ポートが、空気燃料混合気を流入させるための吸気口に流体接続されている、第７〜１２項のいずれか一項に記載の内燃機関。
［第１４項］
前記吸気口と前記移送ポートとの間に絞り弁をさらに備え、前記絞り弁が閉位置と開位置との間で動くことができる、第１３項に記載の内燃機関。
［第１５項］
前記絞り弁および前記排気弁が、前記絞り弁が開いているときに前記排気弁が開いているように、逆もまた同様になるように構成されている、第１１および１４項に記載の内燃機関。
［第１６項］
前記空気燃料混合気が前記吸気口から前記移送ポートに流れることを可能にするために、前記絞り弁と前記移送ポートとの間に一方向弁をさらに備える、第１４または１５項に記載の内燃機関。
［第１７項］
各吸気口が前記１対のピストンのそれぞれに関連しており、一方の吸気口が空気燃料混合気を前記燃焼室に送るようになされており、他方の吸気口が空気を前記燃焼室に送るようになされており、各吸気口が絞り弁を有する、第１〜１６項のいずれか一項に記載の内燃機関。
［第１８項］
前記絞り弁が同時に開閉するように構成されている、第１７項に記載の内燃機関。
［第１９項］
燃焼室内で往復運動するように構成された少なくとも１つのピストンを備える内燃機関であって、前記燃焼室が、
１次排気ポートであって、排気ガスを前記燃焼室から送り出すための実質的な開放構成と排気ガスが実質的に前記１次排気ポートを通過することができない実質的な閉鎖構成とを有する、１次排気ポートと、
前記１次排気ポートが実質的に閉じているときに排気ガスを前記燃焼室から送り出すように構成された２次排気ポートと、
を有する、内燃機関。
［第２０項］
前記２次排気ポートが、前記１次排気ポートの断面プロファイルよりも小さい断面プロファイルを有する、第１９項に記載の内燃機関。
［第２１項］
機関サイクル中、前記２次排気ポートが、前記１次排気ポートの開放時間よりも短い開放時間を有する、第１９または２０項に記載の内燃機関。
［第２２項］
機関サイクル中、前記排気ポートが、前記２次排気ポートよりも前に開く、第１９〜２１項のいずれか一項に記載の内燃機関。
［第２３項］
前記１次排気ポートおよび前記２次排気ポートが、前記燃焼室の概ね第１の端部で前記燃焼室内に開口している、第１９〜２２項のいずれか一項に記載の内燃機関。
［第２４項］
空気燃料混合気を前記燃焼室に送るように構成された移送ポートをさらに備える、第１９〜２３項のいずれか一項に記載の内燃機関。
［第２５項］
前記移送ポートが、前記燃焼室の前記第１の端部とは反対側の概ね第２の端部で前記燃焼室内に開口している、第２３および２４項に記載の内燃機関。
［第２６項］
前記１次排気ポートが、前記１次排気ポートが閉じている閉位置と前記１次排気ポートが開いている開位置との間で選択的に動くことができる１次排気弁を有し、前記２次排気ポートが、前記２次排気ポートが閉じている閉位置と前記２次排気ポートが開いている開位置との間で選択的に動くことができる２次排気弁を有し、前記１次排気弁および前記２次排気弁が、前記１次排気弁が開いているときに前記２次排気弁が閉じているように、逆もまた同様になるように構成されている、第１９〜２５項のいずれか一項に記載の内燃機関。
［第２７項］
前記移送ポートが、空気燃料混合気を流入させるための吸気口に流体接続されている、第２５または２６項に記載の内燃機関。
［第２８項］
前記吸気口と前記移送ポートとの間に絞り弁をさらに備え、前記絞り弁が閉位置と開位置との間で動くことができる、第２７項に記載の内燃機関。
［第２９項］
前記絞り弁および前記１次排気弁が、前記絞り弁が開いているときに前記排気弁が開いているように、逆もまた同様になるように構成されている、第２６および２８項に記載の内燃機関。
［第３０項］
前記空気燃料混合気が前記吸気口から前記移送ポートに流れることを可能にするために、前記絞り弁と前記移送ポートとの間に一方向弁をさらに備える、第２８または２９項に記載の内燃機関。
［第３１項］
前記少なくとも１つのピストンが、対向ピストン配置された１対のピストンを含み、前記燃焼室が、対向する前記１対のピストンによって共有される、第１９〜３０項のいずれか一項に記載の内燃機関。
［第３２項］
各吸気口が前記１対のピストンのそれぞれに関連しており、一方の吸気口が空気燃料混合気を前記燃焼室に送るようになされており、他方の吸気口が空気を前記燃焼室に送るようになされており、各吸気口が絞り弁を有する、第３１項に記載の内燃機関。
［第３３項］
前記吸気口絞り弁および前記１次排気弁が、前記１次排気弁が閉じているときに前記吸気口絞り弁が閉じているように構成されている、第２９および３２項に記載の内燃機関。
［第３４項］
前記２次排気ポートが、選択的に、排気ガスを前記燃焼室から送り出したり、吸気を前記燃焼室に送り込んだりするように構成された双方向ポートである、第２〜１８項のいずれか一項を引用する第１９〜３３項のいずれか一項に記載の内燃機関。
［第３５項］
内燃機関であって、
共通の燃焼室内で往復運動するように対向ピストン配置で構成された少なくとも２つのピストンと、
前記燃焼室の第１の端部に概ね隣接し、空気と燃料の混合気を前記燃焼室に供給するように構成された移送ポートと、
前記燃焼室の前記第１の端部とは反対側の概ね第２の端部に概ね隣接し、排気ガスを前記燃焼室から送り出すように構成された排気ポートと、
前記燃焼室の前記第２の端部に概ね隣接してかつ前記排気ポートに概ね対向して配置された２次移送ポートと、
を備え、
前記２次移送ポートが、空気を前記燃焼室内に導入するように構成されている、内燃機関。
［第３６項］
前記２次移送ポートが、前記排気ポートの断面プロファイルよりも小さい断面プロファイルを有する、第３５項に記載の内燃機関。
［第３７項］
前記２次移送ポートが、前記排気ポートが排気ガスを前記燃焼室から送り出すときに、空気を前記燃焼室内に導入するように構成されている、第３５または３６項に記載の内燃機関。
［第３８項］
前記２次移送ポートが、空気が空気入口から前記２次移送ポートに流れることを可能にする一方向弁を有する前記空気入口に選択的に流体接続される、第３５〜３７項のいずれか一項に記載の内燃機関。
［第３９項］
機関サイクル中、前記２次移送ポートが、前記排気ポートの開放時間よりも短い開放時間を有する、第３５〜３８項のいずれか一項に記載の内燃機関。
［第４０項］
機関サイクル中、前記排気ポートが、前記２次移送ポートよりも前に開く、第３５〜３９項のいずれか一項に記載の内燃機関。
［第４１項］
前記２次移送ポートが、選択的に、排気ガスを前記燃焼室から送り出したり、吸気を前記燃焼室に送り込んだりするように構成された双方向ポートである、第２〜１８項のいずれか一項を引用する第３５〜４０項のいずれか一項に記載の内燃機関。
［第４２項］
前記排気ポートが１次排気ポートであり、前記機関が２次排気ポートをさらに備え、前記１次排気ポートが、排気ガスを前記燃焼室から送り出すための実質的な開放構成と排気ガスが前記１次排気ポートを実質的に通過することができない実質的な閉鎖構成とを有し、前記２次排気ポートが、前記１次排気ポートが実質的に閉じているときに排気ガスを前記燃焼室から送り出すように構成されている、第２０〜３３項のいずれか一項を引用する第３５〜４１項のいずれか一項に記載の内燃機関。
［第４３項］
水塊中に沈められて使用される内燃機関であって、
移送ポートおよび排気ポートを有する燃焼室内で往復運動するように構成された少なくとも１つのピストンと、
前記燃焼室の外壁に近接する容積部を画定するカウリングと、
を備え、
前記容積部が、前記排気ポートまたは前記機関の周囲の水塊のいずれかに選択的に流体接続される、内燃機関。
［第４４項］
前記カウリングが、前記容積部を前記周囲の水塊に流体接続する開口部を有する、第４３項に記載の内燃機関。
［第４５項］
前記容積部を前記排気ポートに選択的に流体接続する移送導管と、排気ガスが前記排気ポートから前記容積部に流れて前記機関を暖めるようになっている開位置と水が前記周囲の水塊から流れて前記機関を冷却するようになっている閉位置との間で選択的に動くことができる前記移送導管内の切換弁と、をさらに備える、第４３または４４項に記載の内燃機関。
［第４６項］
前記水が前記開口部を通って前記容積部に入り、前記排気ガスが前記開口部を通って前記容積部から出る、第４４および４５項に記載の内燃機関。
［第４７項］
前記移送導管が、前記水塊の上方の周囲大気に開口する圧力ブリードを有する、第４５または４６項に記載の内燃機関。
［第４８項］
前記容積部が、前記機関がアイドル設定にあるときに排気ガスで満たされ、前記機関が動力設定にあるときに水で満たされるように構成されている、第４３〜４７項のいずれか一項に記載の内燃機関。
［第４９項］
前記燃焼室内に１次排気ポートをさらに備え、前記排気ポートが２次排気ポートであり、前記１次排気ポートが、排気ガスを前記燃焼室から送り出すための実質的な開放構成と排気ガスが前記１次排気ポートを実質的に通過することができない実質的な閉鎖構成とを有し、前記２次排気ポートが、前記１次排気ポートが実質的に閉じているときに排気ガスを前記燃焼室から送り出すように構成されている、第４３〜４８項のいずれか一項に記載の内燃機関。
［第５０項］
第２０〜３４項のいずれか一項を引用する第４９項に記載の内燃機関。
［第５１項］
前記排気ポートが、選択的に、排気ガスを前記燃焼室から送り出したり、吸気を前記燃焼室に送り込んだりするように構成された双方向ポートである、第２〜１８項のいずれか一項を引用する第１〜４３項のいずれか一項に記載の内燃機関。
［第５２項］
前記移送ポートが、前記燃焼室の第１の端部に概ね隣接しており、前記排気ポートが、前記燃焼室の前記第１の端部とは反対側の概ね第２の端部に概ね隣接し、排気ガスを前記燃焼室から送り出すように構成されており、前記機関が、前記燃焼室の前記第２の端部に概ね隣接してかつ前記排気ポートに概ね対向して配置された２次移送ポートをさらに備え、前記２次移送ポートが、空気を前記燃焼室内に導入するように構成されている、第３５〜４０項のいずれか一項を引用する第４３〜４９項のいずれか一項に記載の内燃機関。